(57)【要約】      （修正有）【課題】  半導体層の有する経皮治療効果に、人体の放射する赤外線を利用した効果を加えることによって治療効果が増大した経皮治療用器具を提供する。【解決手段】  経皮治療部材層１０は布地等の伸縮性の支持部材８の面に設ける。経皮治療部材層１０を構成する半導体層は、接着剤等にＮ型、またはＰ型、または両者混合のパウダーを混入させ、Ｐ型半導体層３、Ｎ型半導体層５、またはＮ型とＰ型とを混合させた半導体層として積層する。各半導体層の両面には絶縁性インク層２、４、６を形成する。経皮治療部材層１０には反射部材層７を付加し効果を増大することもできる。半導体層は筋肉を活性化し、血流を増加して鬱血を解消する。絶縁性インク層は人体の表面を効率よく暖め、治療効果を増大させる。また、経皮治療用器具を患部の肌面に貼ると熱を発生するようにする。発生する熱は刺激の大小に対応し治療効果を増大させる。【選択図】    図１
2005296666.tif 000002
【特許請求の範囲】
【請求項１】
Ｐ型又はＮ型又は前記両者を混合した半導体層を複数積層し、前記各半導体層の両面には絶縁性インク層を配置したことを特徴とする経皮治療用器具。
【請求項２】
Ｐ型又はＮ型又は前記両者を混合した半導体層を複数積層し、前記各半導体層の両面には絶縁性インク層を配置し、
前記半導体層と前記絶縁性インク層とで形成した経皮治療部材層表面に、厚み方向を孔軸方向とする多数の細孔を形成したことを特徴とする経皮治療用器具。
【請求項３】
Ｐ型又はＮ型又は前記両者を混合した半導体層を複数積層し、前記各半導体層の両面には絶縁性インク層を配置し、
前記半導体層と前記絶縁性インク層とで形成した経皮治療部材層端面に、厚み方向を切り欠き方向とする、鋸歯状、歯車の歯状、あるいは波状などの形状の、多数の溝を形成したことを特徴とする経皮治療用器具。
【請求項４】
Ｐ型又は／及びＮ型或いは前記両者を混合した半導体層を単数又は複数積層し、前記各半導体層の表面に絶縁性インク層を形成し、前記絶縁性インク層を介して人体表面温度又は／及び外部から光などの刺激によって前記半導体が前記刺激の大小に対応して熱を発生するようにしたことを特徴とする経皮治療用器具。
【発明の詳細な説明】
【技術分野】
【０００１】  本発明は、経皮治療用器具に関し、特に半導体層などを用いて治療効果を発揮する経皮治療用具に関する。
【背景技術】
【０００２】  従来、経皮吸収治療は打ち身、捻挫、こりなどに対してパック剤が使用され、これには経皮吸収薬剤としてメントール、カンフル、ハッカ油、チモールなどが用いられ、また、痛み止めとしてインドメタシン、フェルビナクなどが経皮吸収薬剤として使用されるほか、心臓発作を抑えるため、虚血性心疾患治療剤硝酸薬である経皮吸収薬剤のニトログリセリン製剤や硝酸イソソルビト製剤をシートに貼付したものや、経皮吸収クリーム等の形で市販されている。【０００３】  しかし、これらの方法は一時的に痛みを抑えたり、心臓発作を一時的に回避するだけであって、根本的な治療とはなっていない場合が多く、その解決策として半導体膜を用いる方法があり、この方法によれば根本的な治療効果を期待することができ、狭心症や不整脈の患者が治癒したり、腰痛が完全に治った例が多い。【０００４】  半導体膜、特に半導体膜付きセラミックスやＮ型半導体とＰ型半導体の複合膜は筋肉を活性化し、血流を増加して鬱血を解消する効果がある。【０００５】  半導体の治療効果は、東方医学第１３巻第３号Ｐ１７〜２５（１９９７）に記載されているように、血流を一時的に増加して乳酸等の痛み物質を流し去り、自律神経機能を高め、筋肉の緊張を和らげる作用がある。一般に経皮治療が行われる筋肉の腫れ、捻挫、打ち身、こりなど皮膚内部の筋肉組織の損傷は鬱血によることが多く、半導体膜の貼付によって血流が増加し腫れが引く作用がある。このような半導体膜の貼付による効果は、患部の根本的な治療が期待できるものである。
【発明の開示】
【発明が解決しようとする課題】
【０００６】  このような根本的な治療効果を期待するための半導体膜を用いる治療用器具として本出願の出願人は多様な形態の治療用器具を先に出願しているが、最近、本願の出願人は、赤外線の性質を利用することによって治療効果を増大する着想を得た。【０００７】  赤外線は可視光より波長が長いため人の目では見えない、可視光の明るさ、暗さに関係しない、絶対０°Ｋ以上のすべての物体から自然に放射されている、熱線として物体を暖める、などの性質があり、電磁波の一種であり、真空中でも伝播され、赤外線エネルギーと物体の温度は相関関係にある。このような赤外線の性質は一般に知られているが、これらの性質を利用して治療効果を増大させた半導体膜を用いる経皮治療用器具は未だ提供されていない。【０００８】  また、半導体膜内の半導体（Ｐ型、Ｎ型）内部の自由電子は、温度や光などの刺激を与えることによって活発に移動し熱を発生する。この発生する熱量と刺激の大小とは相関関係にある。【０００９】  本発明は半導体膜による従来の治療効果に加え、前記のように赤外線を利用し、また、半導体層に温度や光などの刺激を与えることによって半導体内の自由電子が活発に移動することによって発生する熱を利用し、治療効果を増大させた経皮治療用器具を提供することを目的としている。
【課題を解決するため手段】
【００１０】  上記課題を解決するために本発明は、半導体層を複数積層し、各半導体層の両面には絶縁性インク層又は絶縁性樹脂層（以下絶縁性インク層という）を配置した。半導体層と前記絶縁性インク層とで形成した経皮治療部材層表面に、厚み方向を孔軸方向とする多数の細孔を形成した。また、端面に、厚み方向を切り欠き方向とする多数の凹凸溝を形成した。
【００１１】  また、Ｐ型又は／及びＮ型或いは前記両者を混合した半導体層を単数又は複数積層し、前記各半導体層の表面に絶縁性インク層を形成し、前記絶縁性インク層を介して人体表面温度又は／及び外部から光などの刺激によって前記半導体が前記刺激の大小に対応して熱を発生するようにした。
【発明の効果】
【００１２】  本発明の請求項１に記載の発明は、Ｐ型又はＮ型又は前記両者を混合した半導体層を複数積層し、前記各半導体層の両面には絶縁性インク層を配置したものであり、人体表面から放射される赤外線を透過、吸収、反射する各効率が向上し、治療効果が増大する有利な効果が得られる。
【００１３】  本発明の請求項２に記載の発明は、Ｐ型又はＮ型又は前記両者を混合した半導体層を複数積層し、前記各半導体層の両面には絶縁性インク層を配置し、前記半導体層と前記絶縁性インク層とで形成した経皮治療部材層表面に、厚み方向を孔軸方向とする多数の細孔を形成したものであり、人体表面から放射される赤外線は細孔によって多重反射し、空洞放射となって放射率が大きくなり、赤外線の透過、吸収、反射する各効率が向上し、治療効果が増大する有利な効果が得られる。
【００１４】  本発明の請求項３に記載の発明は、Ｐ型又はＮ型又は前記両者を混合した半導体層を複数積層し、前記各半導体層の両面には絶縁性インク層を配置し、前記半導体層と前記絶縁性インク層とで形成した経皮治療部材層端面に、厚み方向を切り欠き方向とする多数の凹凸溝を形成したものであり、人体表面から放射される赤外線は凹凸溝によって多重反射し、空洞放射となって放射率が大きくなり、赤外線の透過、吸収、反射する各効率が向上し、治療効果が増大する有利な効果が得られる。
【００１５】  本発明の請求項４に記載の発明は、Ｐ型又は／及びＮ型或いは前記両者を混合した半導体層を単数又は複数積層し、前記各半導体層の表面に絶縁性インク層を形成し、前記絶縁性インク層を介して人体表面温度又は／及び外部から光などの刺激によって前記半導体が前記刺激の大小に対応して熱を発生するようにしたものであり、人体の肌から放射される熱や外部光などによって半導体内の自由電子が動き回り熱を発生し、治療効果が増大する有利な効果が得られる。
【００１６】  このような本発明の経皮治療用具を利用することによって、肩こり、冷え性、腰、膝、関節、眼精疲労等の辛さを短い時間で緩和することができる有利な効果が得られる。
【発明を実施するための最良の形態】
【００１７】  Ｐ型又はＮ型又は前記両者を混合した半導体層を複数積層し、前記各半導体層の両面には絶縁性インク層を配置する。この絶縁性インク層によって、経皮治療用器具を人体表面に貼付した場合、人体面から放射される赤外線は効率よく利用され、治療効果を増大させるものとなる。【００１８】  Ｐ型又はＮ型又は前記両者を混合した半導体層を複数積層し、前記各半導体層の両面には絶縁性インク層を配置し、前記半導体層と前記絶縁性インク層とで形成した経皮治療部材層表面に、厚み方向を孔軸方向とする多数の細孔を形成する。この絶縁性インク層によって、経皮治療用器具を人体表面に貼付した場合、人体面から放射される赤外線は効率よく利用され、治療効果を増大させるものとなり、また、多数の細孔によって赤外線は多重反射、空洞放射を行なうので赤外線はさらに効率よく利用できるものとなる。【００１９】  Ｐ型又はＮ型又は前記両者を混合した半導体層を複数積層し、前記各半導体層の両面には絶縁性インク層を配置し、前記半導体層と前記絶縁性インク層とで形成した経皮治療層端面に、厚み方向を切り欠き方向とする、鋸歯状、歯車状、あるいは波状などの形状の、多数の溝を形成する。この絶縁性インク層によって、経皮治療用器具を人体表面に貼付した場合、人体面から放射される赤外線は効率よく利用され、治療効果を増大させるものとなり、また、多数の溝によって赤外線は多重反射、空洞放射を行なうので赤外線はさらに効率よく利用できるものとなる。【００２０】  Ｐ型又は／及びＮ型或いは前記両者を混合した半導体層を単数又は複数積層し、前記各半導体層の表面に絶縁性インク層を形成し、前記絶縁性インク層を介して人体表面温度又は／及び外部から光などの刺激によって前記半導体が前記刺激の大小に対応して熱を発生するようにする。人体の肌から放射される熱や外部光などによって半導体内の自由電子が動き回り熱を発生し、治療効果が増大する。
【実施例１】
【００２１】  図１は本発明の経皮治療用器具の要部の断面図である。１は積層された表面を保護する、剥離可能な台紙、２は後述する絶縁性インク層、３はＰ型半導体層、４は前記同様の絶縁性インク層、５はＮ型半導体層、６は前記同様の絶縁性インク層、７は反射部材層、８は経皮治療部材層を配置する支持部材で、伸縮性のある布地などで形成する。【００２２】  これらは、支持部材８の、所定面、所定位置に所定大きさ及び形状で、図１の順に積層して構成する。それぞれについて説明すれば、半導体層３、５は、例えば、インク、塗料、接着剤等としての素材に、半導体のメッシュ１３０前後〜１００００前後のパウダーを混入させたものである。半導体としては、Ｎ型、またはＰ型、あるいは両者を混合したものを用いる。こうすることにより半導体層はある程度の伸縮性を有するものとなる。半導体層は、円形あるいは多角形状に、任意の形状に印刷したり、塗布したりすることによって支持部材８の所望の位置に配置することができる。【００２３】  反射部材層７は、熱硬化性樹脂に粘着材及びアルミ、金、銀、銅などの金属紛のうち１種あるいは数種を混入させたもので形成する。台紙１を剥離して露出した面を人体の所望部位に貼付したとき、この反射部材層５によって、半導体層３、５の作用力を反射して作用させ、人体側に向けた効率的なものとすることができる。【００２４】  Ｐ型半導体層３及びＮ型半導体層５は、それぞれの両面を絶縁性インク層２、４、６によって覆われているので、絶縁体となり、人体から放射される赤外線の透過、吸収、反射の各効率がアップされ、半導体の人体表面温度を上昇させる作用と相俟って人体の血行の悪い箇所の治療効果を増大させ、血流を改善する。【００２５】  人体表面の温度が高くなり、血流が正常になると温度上昇が緩和され、放射率が小さくなる。従ってむやみに人体表面温度を上昇させるようなことがない。
【実施例２】
【００２６】  図２は本発明の経皮治療用具の要部の表面図である。経皮治療用具の積層状態の断面図は前記した実施例１のものと同様であるので図示説明は省略する。【００２７】  １０は半導体治療部材層であり、図１における積層構造から台紙１と支持部材８とを除外した部分である。半導体治療部材層１０の面には多数の細孔１１、例えば丸孔を穿設する。この状態を図３の断面図に示す。細孔１１は貫通して穿設してもよく、あるいは厚みを一部残した孔としてもよい。このようにすることによって、赤外線は多重反射し、空洞放射となって放射率が大きくなり、赤外線を効率的に利用することができる。【００２８】  また、図２において、１２は半導体治療部材層１０の周囲端面に設けた複数の溝であり、この溝１２によって周囲端面は凹凸構造となっている。この溝１２は半導体治療層１０の厚み方向を切り欠き方向として形成し、その形状は鋸歯状、歯車の歯状、あるいは波形状などである。【００２９】  このようにすることによって、人体表面の所望部位に貼付した場合、人体が放射する赤外線は細孔１１及び溝１２によって多重反射し、空洞放射となって放射率が大きくなり、赤外線を効率的に利用することができる。【００３０】  図４は前記した実施例１及び２の経皮治療用器具の作用を図示したものである。ステップ１によって接触電位差が発生し、原子価制御効果が得られ、活性酸素の発生その他の作用がある。この作用は刺激作用となってステップ２の血流量の増加を促し、結果としてサーモグラフィで皮膚温度の上昇が観測できる。血流量の増加はステップ３として疼痛緩和効果をもたらす。【００３１】  なお、以上の各実施例では、半導体治療部材層を形成する際、絶縁性インク層を半導体層とは別に積層するように記述したが、半導体粒に絶縁性インクを混入して印刷することによっても、半導体表面に絶縁性インク層が形成されるので、このようにして製造工程を短縮することもできる。
【実施例３】
【００３２】  図５は本実施例の経皮治療用器具を人体の肌面に貼付した状態の断面図である。２は絶縁性インク層、３５はＰ型又はＮ型半導体層、７は反射部材層であり、前記した実施例１及び２に記載した台紙１や支持部材８は図示省略してある。Ｄは人体の肌面である。【００３３】  図５において、矢印Ｌは外部から与えられる光、矢印Ｈは肌面Ｄから放射される熱である。Ｐ型又はＮ型半導体層３５内部では熱Ｈ又は／及び光Ｌによって刺激され、自由電子の移動量が変化する。即ち、肌面Ｄの温度によって放射される熱Ｈ又は／及び光Ｌなどの刺激の大小に応じて半導体内の自由電子の移動量が変化し発熱量が増減する。従って本実施例の経皮治療用器具を人体の肌面Ｄに貼付することによって、自由電子の動きが活発化しＰ型又はＮ型半導体層３５は熱を発生し肌面Ｄの血行の悪い箇所を暖め、治療効果を増大させ、血流を改善する。
【実施例４】
【００３４】  図６は本実施例の経皮治療用器具を人体の肌面に貼付した状態の断面図である。２は絶縁性インク層、３はＰ型半導体層、５はＮ型半導体層、７は反射部材層であり、前記した実施例１及び２に記載した台紙１や支持部材８は図示省略してある。Ｄは人体の肌面である。Ｐ型半導体層３とＮ型半導体層５との積層順は逆であってもよい。【００３５】  本実施例においても、前記実施例３同様、外部から与えられる光、肌面Ｄから放射される熱によって、Ｐ型半導体層３及びＮ型半導体層５の内部では熱又は／及び光によって刺激され、自由電子の移動量が変化する。即ち、肌面Ｄの温度によって放射される熱又は／及び光などの刺激の大小に応じて半導体内の自由電子の移動量が変化し発熱量が増減する。従って本実施例の経皮治療用器具を人体の肌面Ｄに貼付することによって、自由電子の動きが活発化しＰ型及びＮ型半導体層３及び５は熱を発生し肌面Ｄの血行の悪い箇所を暖め、治療効果を増大させ、血流を改善する。
【実施例５】
【００３６】  図７は本実施例の経皮治療用器具を人体の肌面に貼付した状態の断面図である。２は絶縁性インク層、３はＰ型半導体層、５はＮ型半導体層であり、Ｎ型半導体層５を二つのＰ型半導体層が挟持する状態に積層してある。但し、この積層配列状態はこの例に限定されるものではない。７は反射部材層であり、前記した実施例１及び２に記載した台紙１や支持部材８は図示省略してある。Ｄは人体の肌面である。【００３７】  本実施例においても、前記実施例３同様、外部から与えられる光、肌面Ｄから放射される熱によって、２層のＰ型半導体層３及び単層のＮ型半導体層５の内部では熱又は／及び光によって刺激され、自由電子の移動量が変化する。即ち、肌面Ｄの温度によって放射される熱又は／及び光などの刺激の大小に応じて半導体内の自由電子の移動量が変化し発熱量が増減する。従って本実施例の経皮治療用器具を人体の肌面Ｄに貼付することによって、自由電子の動きが活発化しＰ型及びＮ型半導体層３及び５は熱を発生し肌面Ｄの血行の悪い箇所を暖め、治療効果を増大させ、血流を改善する。
【実施例６】
【００３８】  図８は本実施例の経皮治療用器具を人体の肌面に貼付した状態の断面図である。２は絶縁性インク層、３はＰ型半導体層、５はＮ型半導体層であり、二つのＮ型半導体層５と二つのＰ型半導体層３とを交互に積層してある。ただし、この積層配列状態はこの例に限定されるものではない。７は反射部材層であり、前記した実施例１及び２に記載した台紙１や支持部材８は図示省略してある。Ｄは人体の肌面である。【００３９】  本実施例においても、前記実施例３同様、外部から与えられる光、肌面Ｄから放射される熱によって、２層のＰ型半導体層３及び２層のＮ型半導体層５の内部では熱又は／及び光によって刺激され、自由電子の移動量が変化する。即ち、肌面Ｄの温度によって放射される熱又は／及び光などの刺激の大小に応じて半導体内の自由電子の移動量が変化し発熱量が増減する。従って本実施例の経皮治療用器具を人体の肌面Ｄに貼付することによって、自由電子の動きが活発化しＰ型及びＮ型半導体層３及び５は熱を発生し肌面Ｄの血行の悪い箇所を暖め、治療効果を増大させ、血流を改善する。
【実施例７】
【００４０】  図９は本実施例の経皮治療用器具を人体の肌面に貼付した状態の断面図である。２は絶縁性インク層、３６はＰ型半導体とＮ型半導体とを混合させた半導体層である。７は反射部材層であり、前記した実施例１及び２に記載した台紙１や支持部材８は図示省略してある。Ｄは人体の肌面である。【００４１】  本実施例においても、前記実施例３同様、外部から与えられる光、肌面Ｄから放射される熱によって、Ｐ型とＮ型半導体混合層３６の内部では熱又は／及び光によって刺激され、自由電子の移動量が変化する。即ち、肌面Ｄの温度によって放射される熱又は／及び光などの刺激の大小に応じて半導体内の自由電子の移動量が変化し発熱量が増減する。従って本実施例の経皮治療用器具を人体の肌面Ｄに貼付することによって、自由電子の動きが活発化しＰ型とＮ型半導体混合層３６は熱を発生し肌面Ｄの血行の悪い箇所を暖め、治療効果を増大させ、血流を改善する。【００４２】  なお、実施例３から実施例７に示した半導体層の層数は各例に限定されるものではなく、層数を多くすることによって治療効果をパワーアップすることができるものである。
【実施例８】
【００４３】  図１０において本発明の経皮治療用具を電気スタンド等の照明灯に用いた例を示す。同図において１０は半導体治療部材層であり、これを照明灯３０のシェード２０の内面あるいは外面に貼付する。貼付面はシェード２０の一部であっても、全面であってもよい。また、照明灯は発光体が蛍光灯であっても、あるいは白熱電球であってもよい。【００４４】  本実施例においても、前記実施例３同様、外部から与えられる光と熱によって、Ｐ型とＮ型半導体混合層３６の内部では熱や光によって刺激され、自由電子の移動量が変化する。即ち、自由電子の動きが活発化しＰ型とＮ型半導体混合層３６は熱を発生し照明灯３０に近接した肌面Ｄの血行の悪い箇所を暖め、治療効果を増大させ、血流を改善し、人体の眼や顔面によい効果をもたらす。
【実施例９】
【００４５】  図１４及び図１５は。上記照明灯３０としての電気スタンドの他例を示す。図１４において、３２は電気スタンドのシェード２０の正面側に相当する部分またはシェード２０のほぼ全面に整列或いはランダムに施した透孔群であり、この透孔群３２を施した部位に相当するシェード２０の内面に図１５に示した本発明の半導体治療部材層１０として経費治療用具を備える。２３は照明灯３０より発光する光線を反射する反射板であり、シェード２０の内面に貼着する。また、照明灯３０としての発光体は蛍光灯あるいは白熱電球であってもよい。【００４６】  上記他例においても、上記項番〔００４４〕で記述した効果と同様の効果を得ることができる。【００４７】  図１１において本発明の経皮治療用具を暖房器具に用いた例を示す。同図において１０は半導体治療部材層であり、これをコタツ５０の発熱体４０を取り囲む発熱体カバー６０内面あるいは外面に貼付する。５１はコタツ５０の天板である。貼付面は発熱体カバー６０面の一部であっても、全面であってもよい。【００４８】  本実施例においても、前記実施例３同様、外部から与えられる光と熱によって、Ｐ型とＮ型半導体混合層３６の内部では熱や光によって刺激され、自由電子の移動量が変化する。即ち、自由電子の動きが活発化しＰ型とＮ型半導体混合層３６は熱を発生し発熱体カバー６０面に近接した人体の肌面Ｄの血行の悪い箇所を暖め、治療効果を増大させ、血流を改善する。
【実施例１０】
【００４９】  図１２において本発明の経皮治療用具を足のせ部材に用いた例を示す。同図において１０は半導体治療部材層であり、これを長方形で布や合成樹脂で形成した足のせ部材７０の一方の端部下面に設けた発泡体で形成される台７１の表面に貼付する。台７１は足の指の付け根部分をのせるようになっている。貼付面は台７１面の一部であっても、全面であってもよい。あるいは直接足のせ部材７０の内面、外面のいずれかに貼付してもよい。また、長方形の足のせ部材７０の他方の端部、足のかかとの部分をのせる部位７２の内外面のいずれかにも半導体治療部材層１０を貼付する。貼付面は部位７２面の一部であっても、全面であってもよい。また、この足のせ部材７０は前記のように布や合成樹脂で形成し可撓性であるので丸めて小型なものとして持ち運ぶことができ、また、片付けることもできる。【００５０】  本実施例においても、前記実施例３同様、外部から与えられる光と熱によって、Ｐ型とＮ型半導体混合層３６の内部では熱や光によって刺激され、自由電子の移動量が変化する。即ち、自由電子の動きが活発化しＰ型とＮ型半導体混合層３６は熱を発生し足のせ部材面に接した肌面Ｄの血行の悪い箇所を暖め、治療効果を増大させ、血流を改善する。また、台７１が形成する段差によってストレッチング効果を発揮し、健康増進に効果がある。
【実施例１１】
【００５１】  図１３において本発明の経皮治療用具を鏡に用いた例を示す。同図において１０は半導体治療部材層であり、これを、鏡８０を構成する鏡部材８１の裏面に貼付する。貼付面は鏡部材８１面の一部であっても、全面であってもよい。８２は鏡部材８１を収容する枠である。【００５２】  本実施例においても、前記実施例３同様、外部から与えられる光と熱によって、Ｐ型とＮ型半導体混合層３６の内部では熱や光によって刺激され、自由電子の移動量が変化する。即ち、自由電子の動きが活発化しＰ型とＮ型半導体混合層３６は熱を発生し鏡８０に近接した肌面Ｄの血行の悪い箇所を暖め、治療効果を増大させ、血流を改善する。【００５３】  本発明によれば、前述した半導体治療部材層１０より放射される半導体得有の赤外線によって人体の血行の悪い箇所の治療効果を増大させて血流を改善することができる。
【図面の簡単な説明】
【００５４】
【図１】    本発明による経皮治療用器具の要部の断面図である。
【図２】    本発明による経皮治療用器具の要部の平面図である。
【図３】    本発明による経皮治療用器具の要部の断面図である。
【図４】    半導体による経皮治療の作用の説明図である。
【図５】    本発明による経皮治療用器具の要部の断面図に経皮治療の作用を加入した図である。
【図６】    本発明による経皮治療用器具の要部の断面図である。
【図７】    本発明による経皮治療用器具の要部の断面図である。
【図８】    本発明による経皮治療用器具の要部の断面図である。
【図９】    本発明による経皮治療用器具の要部の断面図である。
【図１０】    本発明による経皮治療用器具の使用状態例である。
【図１１】    本発明による経皮治療用器具の使用状態例である。
【図１２】    本発明による経皮治療用器具の使用状態例である。
【図１３】    本発明による経皮治療用器具の使用状態例である。
【図１４】    本発明による経費治療用器具の使用状態例である。
【図１５】    図１４のＡ−Ａ線拡大断面図である。
【符号の説明】
【００５５】  １                台紙
２                絶縁層（絶縁性インク層）
３                Ｐ型半導体層
４                絶縁層
５                Ｎ型半導体層
６                絶縁層（絶縁性インク層）
７                反射部材層
８                支持部材層
１０                半導体治療部材層
１１                細孔
１２                溝
３５                Ｐ型又はＮ型半導体層
３６                Ｐ型とＮ型の混合半導体層
３０                照明灯
５０                コタツ
７０                足のせ部材
８０                鏡
【図１】
2005296666.tif 000003
【図２】
2005296666.tif 000004
【図３】
2005296666.tif 000005
【図４】
2005296666.tif 000006
【図５】
2005296666.tif 000007
【図６】
2005296666.tif 000008
【図７】
2005296666.tif 000009
【図８】
2005296666.tif 000010
【図９】
2005296666.tif 000011
【図１０】
2005296666.tif 000012
【図１１】
2005296666.tif 000013
【図１２】
2005296666.tif 000014
【図１３】
2005296666.tif 000015
【図１４】
2005296666.tif 000016
【図１５】
2005296666.tif 000017